(57)【要約】【課題】  ホームネットワークに対する負荷を抑制しつつ、遠隔操作の対象となる住宅機器の状態を容易に確認することができる住宅機器制御システム及び住宅機器制御装置を提供する。【解決手段】  本発明に係るホームサーバ２０は、電動カーテン３０を遠隔操作する遠隔操作情報、及び住宅機器とカメラとが対応付けられた住宅機器情報テーブルに基づいて、カメラに住宅機器を撮影させ、静止画像である操作前画像を住宅機器が接続されるホームネットワークを介して取得し、操作前画像を含む操作前確認情報を、ホームネットワークを介して遠隔操作端末１０に送信し、遠隔操作端末１０から受信した肯定応答に基づいて、住宅機器を制御する制御情報を住宅機器に送信する。【選択図】  図２
2006101281.tif 000002
【特許請求の範囲】
【請求項１】
住宅に設置される住宅機器を撮影するカメラと、
遠隔操作端末から、前記住宅機器を遠隔操作する遠隔操作情報を受信する遠隔操作情報
受信部と、
前記住宅機器と前記カメラとが対応付けられた住宅機器情報テーブルを記憶する記憶部
と、
前記遠隔操作情報及び前記住宅機器情報テーブルに基づいて、前記カメラに前記住宅機
器を撮影させ、前記住宅機器の遠隔操作前に前記住宅機器を撮影した画像である操作前画
像を、前記住宅機器が接続されるホームネットワークを介して取得するカメラ制御部と、
前記カメラ制御部によって取得された前記操作前画像及び前記住宅機器の状態を示す状
態情報を含む操作前確認情報を、前記ホームネットワークを介して前記遠隔操作端末に送
信する確認情報送信部と、
前記住宅機器の遠隔操作を肯定する肯定応答を前記遠隔操作端末から受信する肯定応答
受信部と、
前記肯定応答受信部が受信した前記肯定応答に基づいて、前記住宅機器を制御する制御
情報を前記住宅機器に送信する制御情報送信部と
を備えることを特徴とする住宅機器制御システム。
【請求項２】
前記住宅機器の制御が完了したことを示す制御完了情報を受信する制御完了情報受信部
をさらに備え、
前記カメラ制御部は、前記制御完了情報受信部が前記制御完了情報を受信した場合、前
記カメラに前記住宅機器を撮影させ、前記住宅機器の遠隔操作後に前記住宅機器を撮影し
た画像である操作後画像を、前記ホームネットワークを介して取得し、
前記確認情報送信部は、前記カメラ制御部によって取得された前記操作後画像及び前記
状態情報を含む操作後確認情報を、前記ホームネットワークを介して前記遠隔操作端末に
送信することを特徴とする請求項１に記載の住宅機器制御システム。
【請求項３】
住宅に設置される住宅機器を撮影するカメラと、
遠隔操作端末から、前記住宅機器を遠隔操作する遠隔操作情報を受信する遠隔操作情報
受信部と、
前記住宅機器と前記カメラとが対応付けられた住宅機器情報テーブルを記憶する記憶部
と、
前記遠隔操作情報に基づいて、前記住宅機器を制御する制御情報を前記住宅機器に送信
する制御情報送信部と、
前記遠隔操作情報及び前記住宅機器情報テーブルに基づいて、前記カメラに前記住宅機
器を撮影させ、前記遠隔操作情報に基づく前記住宅機器の遠隔操作後に前記住宅機器を撮
影した画像である操作後画像を、前記住宅機器が接続されるホームネットワークを介して
取得するカメラ制御部と、
前記カメラ制御部によって取得された前記操作後画像及び前記住宅機器の状態を示す状
態情報を含む操作後確認情報を、前記ホームネットワークを介して前記遠隔操作端末に送
信する確認情報送信部と
を備えることを特徴とする住宅機器制御システム。
【請求項４】
前記住宅機器情報テーブルには、前記遠隔操作情報に基づいて動作する場合における最
長の動作時間である最長動作時間が前記住宅機器と対応付けられており、
前記制御完了情報受信部が前記最長動作時間を経過しても前記制御完了情報を受信しな
い場合、前記確認情報送信部は、前記操作後確認情報を前記遠隔操作端末に送信すること
を特徴とする請求項２または３に記載の住宅機器制御システム。
【請求項５】
前記住宅機器の周辺の照度を測定する照度測定部と、
前記住宅機器の周辺を照らす照明装置と、
前記照度測定部によって測定された前記照度が、所定の値を下回る場合、前記照明装置
を作動させる照明制御部と
をさらに備えることを特徴とする請求項１乃至４の何れか一項に記載の住宅機器制御シス
テム。
【請求項６】
遠隔操作端末から、住宅に設置される住宅機器を遠隔操作する遠隔操作情報を受信する
遠隔操作情報受信部と、
前記住宅機器と、前記住宅機器を撮影するカメラとが対応付けられた住宅機器情報テー
ブルを記憶する記憶部と、
前記遠隔操作情報及び前記住宅機器情報テーブルに基づいて、前記カメラに前記住宅機
器を撮影させ、前記住宅機器の遠隔操作前に前記住宅機器を撮影した画像である操作前画
像を、前記住宅機器が接続されるホームネットワークを介して取得するカメラ制御部と、
前記カメラ制御部によって取得された前記操作前画像及び前記住宅機器の状態を示す状
態情報を含む操作前確認情報を、前記ホームネットワークを介して前記遠隔操作端末に送
信する確認情報送信部と、
前記住宅機器の遠隔操作を肯定する肯定応答を前記遠隔操作端末から受信する肯定応答
受信部と、
前記肯定応答受信部が受信した前記肯定応答に基づいて、前記住宅機器を制御する制御
情報を前記住宅機器に送信する制御情報送信部と
を備えることを特徴とする住宅機器制御装置。
【請求項７】
前記住宅機器の制御が完了したことを示す制御完了情報を受信する制御完了情報受信部
をさらに備え、
前記カメラ制御部は、前記制御完了情報受信部が前記制御完了情報を受信した場合、前
記カメラに前記住宅機器を撮影させ、前記住宅機器の遠隔操作後に前記住宅機器を撮影し
た画像である操作後画像を、前記ホームネットワークを介して取得し、
前記確認情報送信部は、前記カメラ制御部によって取得された前記操作後画及び前記状
態情報を含む操作後確認情報を、前記ホームネットワークを介して前記遠隔操作端末に送
信することを特徴とする請求項６に記載の住宅機器制御装置。
【請求項８】
遠隔操作端末から、住宅に設置される住宅機器を遠隔操作する遠隔操作情報を受信する
遠隔操作情報受信部と、
前記住宅機器と、前記住宅機器を撮影するカメラとが対応付けられた住宅機器情報テー
ブルを記憶する記憶部と、
前記遠隔操作情報に基づいて、前記住宅機器を制御する制御情報を前記住宅機器に送信
する制御情報送信部と、
前記遠隔操作情報及び前記住宅機器情報テーブルに基づいて、前記カメラに前記住宅機
器を撮影させ、前記遠隔操作情報に基づく前記住宅機器の遠隔操作後に前記住宅機器を撮
影した画像である操作後画像を、前記住宅機器が接続されるホームネットワークを介して
取得するカメラ制御部と、
前記カメラ制御部によって取得された前記操作後画像及び前記住宅機器の状態を示す状
態情報を含む操作後確認情報を、前記ホームネットワークを介して前記遠隔操作端末に送
信する確認情報送信部と、
を備えることを特徴とする住宅機器制御装置。
【請求項９】
前記住宅機器情報テーブルには、前記遠隔操作情報に基づいて動作する場合における最
長の動作時間である最長動作時間が前記住宅機器と対応付けられており、
前記制御完了情報受信部が前記最長動作時間を経過しても前記制御完了情報を受信しな
い場合、前記確認情報送信部は、前記操作後確認情報を前記遠隔操作端末に送信すること
を特徴とする請求項７または８に記載の住宅機器制御装置。
【発明の詳細な説明】
【技術分野】
【０００１】
本発明は、ホームネットワークに接続される住宅機器を制御する住宅機器制御システム
及び住宅機器制御装置に関する。
【背景技術】
【０００２】
近年、住宅内に設置される機器（例えば、電子錠、電動カーテン及び家電製品）を接続
するための通信ネットワークであるホームネットワークが実用化されている。
【０００３】
このような住宅内に設置される機器（以下、住宅機器という）をホームネットワークに
接続する主な目的は、住宅機器を遠隔操作することである。
【０００４】
しかしながら、住宅機器の遠隔操作に際して、ユーザは、住宅機器及び住宅機器の周辺
の状態を目視で確認することができないため、遠隔操作に対して不安感を抱くといった問
題があった。
【０００５】
そこで、遠隔操作の対象となる住宅機器の画像（動画像）を、ホームネットワークを介
して遠隔操作端末に表示させ、ユーザが、当該動画像を確認しながら住宅機器を遠隔操作
できる住宅機器の制御装置が開示されている（例えば、特許文献１）。
【特許文献１】特開２００１−２３８２７３号公報（第３−５頁、第１図）
【発明の開示】
【発明が解決しようとする課題】
【０００６】
しかしながら、上述した従来の住宅機器の制御装置には、次のような問題があった。す
なわち、従来の住宅機器の制御装置は、住宅機器の遠隔操作中に遠隔操作端末に動画像を
送信し続けるため、ホームネットワークに対する負荷が増大するといった問題があった。
【０００７】
そこで、本発明は、このような状況に鑑みてなされたものであり、ホームネットワーク
に対する負荷を抑制しつつ、遠隔操作の対象となる住宅機器の状態を容易に確認すること
ができる住宅機器制御システム及び住宅機器制御装置を提供することを目的とする。
【課題を解決するための手段】
【０００８】
上述した問題を解決するため、本発明は、次のような特徴を有している。まず、本発明
の第１の特徴は、住宅（住宅１）に設置される住宅機器（例えば、電動カーテン３０）を
撮影するカメラ（例えば、カメラ４０Ａ）と、遠隔操作端末（例えば、遠隔操作端末１０
）から、前記住宅機器を遠隔操作する遠隔操作情報を受信する遠隔操作情報受信部（送受
信部２０１）と、前記住宅機器と前記カメラとが対応付けられた住宅機器情報テーブルを
記憶する記憶部（記憶部２０５）と、前記遠隔操作情報及び前記住宅機器情報テーブルに
基づいて、前記カメラに前記住宅機器を撮影させ、前記住宅機器の遠隔操作前に前記住宅
機器を撮影した画像である操作前画像を、前記住宅機器が接続されるホームネットワーク
（ホームネットワーク２）を介して取得するカメラ制御部（制御部２０３）と、前記カメ
ラ制御部によって取得された前記操作前画像及び前記住宅機器の状態を示す状態情報を含
む操作前確認情報を、前記ホームネットワークを介して送信する確認情報送信部（送受信
部２０１及び確認情報生成部２０７）と、前記住宅機器の遠隔操作を肯定する肯定応答を
前記遠隔操作端末から受信する肯定応答受信部（送受信部２０１）と、前記肯定応答受信
部が受信した前記肯定応答に基づいて、前記住宅機器を制御する制御情報を送信する制御
情報送信部（送受信部２０１及び制御部２０３）とを備える住宅機器制御システムである
ことを要旨とする。
【０００９】
かかる特徴によれば、住宅機器の遠隔操作前に、当該住宅機器の状態が撮影された画像
（例えば、静止画像）が遠隔操作端末に表示されるため、ユーザは、特に面倒な操作を行
うことなく、当該画像によって当該住宅機器の状態を容易に確認することができる。
【００１０】
また、かかる特徴によれば、当該住宅機器の静止画像、または遠隔操作前の一定期間に
おける動画像を送信することができるため、動画像を送信し続ける場合と比較して、ホー
ムネットワークに対する負荷の増大を抑制することができる。
【００１１】
さらに、かかる特徴によれば、住宅機器制御システムが遠隔操作端末から肯定応答を受
信した場合にのみ、住宅機器の制御が実行される。このため、例えば、ユーザが、制御対
象の住宅機器の周辺に障害物があることを当該静止画像により認識した場合、ユーザは、
当該制御を中止させることができる。
【００１２】
本発明の第２の特徴は、本発明の第１の特徴に係り、前記住宅機器の制御が完了したこ
とを示す制御完了情報を受信する制御完了情報受信部（送受信部２０１）をさらに備え、
前記カメラ制御部が、前記制御完了情報受信部が前記制御完了情報を受信した場合、前記
カメラに前記住宅機器を撮影させ、前記住宅機器の遠隔操作後に前記住宅機器を撮影した
画像である操作後画像を、前記ホームネットワークを介して取得し、前記確認情報送信部
が、前記カメラ制御部によって取得された前記操作後画像及び前記状態情報を含む操作後
確認情報を、前記ホームネットワークを介して送信することを要旨とする。
【００１３】
かかる特徴によれば、遠隔操作後の静止画像が遠隔操作端末に送信されるため、ユーザ
は、住宅機器の制御が確実に実行されたことを容易に確認することができる。
【００１４】
本発明の第３の特徴は、住宅（住宅１）に設置される住宅機器（例えば、電動カーテン
３０）を撮影するカメラ（例えば、カメラ４０Ａ）と、遠隔操作端末（遠隔操作端末１０
）から、前記住宅機器を遠隔操作する遠隔操作情報を受信する遠隔操作情報受信部（送受
信部２０１）と、前記住宅機器と前記カメラとが対応付けられた住宅機器情報テーブルを
記憶する記憶部（記憶部２０５）と、前記遠隔操作情報に基づいて、前記住宅機器を制御
する制御情報を前記住宅機器に送信する制御情報送信部（送受信部２０１及び制御部２０
３）と、前記遠隔操作情報及び前記住宅機器情報テーブルに基づいて、前記カメラに前記
住宅機器を撮影させ、前記遠隔操作情報に基づく前記住宅機器の遠隔操作後に前記住宅機
器を撮影した画像である操作後画像を、前記住宅機器が接続されるホームネットワーク（
ホームネットワーク２）を介して取得するカメラ制御部（制御部２０３）と、前記カメラ
制御部によって取得された前記操作後画像及び前記住宅機器の状態を示す状態情報を含む
操作後確認情報を、前記ホームネットワークを介して前記遠隔操作端末に送信する確認情
報送信部（送受信部２０１及び確認情報生成部２０７）とを備える住宅機器制御システム
であることを要旨とする。
【００１５】
本発明の第４の特徴は、本発明の第２または第３の特徴に係り、前記住宅機器情報テー
ブルには、前記遠隔操作情報に基づいて動作する場合における最長の動作時間である最長
動作時間が前記住宅機器と対応付けられており、前記制御完了情報受信部が前記最長動作
時間を経過しても前記制御完了情報を受信しない場合、前記確認情報送信部が、前記操作
後確認情報を送信することを要旨とする。
【００１６】
本発明の第５の特徴は、本発明の第１乃至４の特徴に係り、前記住宅機器の周辺の照度
を測定する照度測定部（例えば、照度センサ５０Ａ）と、前記住宅機器の周辺を照らす照
明装置（例えば、照明装置６０Ａ）と、前記照度測定部によって測定された前記照度が、
所定の値を下回る場合、前記照明装置を作動させる照明制御部（制御部２０３）とをさら
に備えることを要旨とする。
【００１７】
本発明の第６の特徴は、遠隔操作端末から、住宅に設置される住宅機器を遠隔操作する
遠隔操作情報を受信する遠隔操作情報受信部と、前記住宅機器と、前記住宅機器を撮影す
るカメラとが対応付けられた住宅機器情報テーブルを記憶する記憶部と、前記遠隔操作情
報及び前記住宅機器情報テーブルに基づいて、前記カメラに前記住宅機器を撮影させ、前
記住宅機器の遠隔操作前に前記住宅機器を撮影した画像である操作前画像を、前記住宅機
器が接続されるホームネットワークを介して取得するカメラ制御部と、前記カメラ制御部
によって取得された前記操作前画像及び前記住宅機器の状態を示す状態情報を含む操作前
確認情報を、前記ホームネットワークを介して前記遠隔操作端末に送信する確認情報送信
部と、前記住宅機器の遠隔操作を肯定する肯定応答を前記遠隔操作端末から受信する肯定
応答受信部と、前記肯定応答受信部が受信した前記肯定応答に基づいて、前記住宅機器を
制御する制御情報を前記住宅機器に送信する制御情報送信部とを備える住宅機器制御装置
であることを要旨とする。
【００１８】
本発明の第７の特徴は、本発明の第６の特徴に係り、前記住宅機器の制御が完了したこ
とを示す制御完了情報を受信する制御完了情報受信部をさらに備え、前記カメラ制御部は
、前記制御完了情報受信部が前記制御完了情報を受信した場合、前記カメラに前記住宅機
器を撮影させ、前記住宅機器の遠隔操作後に前記住宅機器を撮影した画像である操作後画
像を、前記ホームネットワークを介して取得し、前記確認情報送信部は、前記カメラ制御
部によって取得された前記操作後画及び前記状態情報を含む操作後確認情報を、前記ホー
ムネットワークを介して前記遠隔操作端末に送信することを要旨とする。
【００１９】
本発明の第８の特徴は、遠隔操作端末から、住宅に設置される住宅機器を遠隔操作する
遠隔操作情報を受信する遠隔操作情報受信部と、前記住宅機器と、前記住宅機器を撮影す
るカメラとが対応付けられた住宅機器情報テーブルを記憶する記憶部と、前記遠隔操作情
報に基づいて、前記住宅機器を制御する制御情報を前記住宅機器に送信する制御情報送信
部と、前記遠隔操作情報及び前記住宅機器情報テーブルに基づいて、前記カメラに前記住
宅機器を撮影させ、前記遠隔操作情報に基づく前記住宅機器の遠隔操作後に前記住宅機器
を撮影した画像である操作後画像を、前記住宅機器が接続されるホームネットワークを介
して取得するカメラ制御部と、前記カメラ制御部によって取得された前記操作後画像及び
前記住宅機器の状態を示す状態情報を含む操作後確認情報を、前記ホームネットワークを
介して前記遠隔操作端末に送信する確認情報送信部とを備える住宅機器制御装置であるこ
とを要旨とする。
【００２０】
本発明の第９の特徴は、本発明の第７また第８の特徴に係り、前記住宅機器情報テーブ
ルには、前記遠隔操作情報に基づいて動作する場合における最長の動作時間である最長動
作時間が前記住宅機器と対応付けられており、前記制御完了情報受信部が前記最長動作時
間を経過しても前記制御完了情報を受信しない場合、前記確認情報送信部は、前記操作後
確認情報を前記遠隔操作端末に送信することを要旨とする。
【発明の効果】
【００２１】
本発明の特徴によれば、ホームネットワークに対する負荷を抑制しつつ、遠隔操作の対
象となる住宅機器の状態を容易に確認することができる住宅機器制御システム及び住宅機
器制御装置を提供することができる。
【発明を実施するための最良の形態】
【００２２】
次に、本発明に係る住宅機器制御システムの実施形態の一例について、図面を参照しな
がら説明する。なお、図面は模式的なものであり、各寸法の比率などは現実のものとは異
なることに留意すべきである。したがって、具体的な寸法などは以下の説明を参酌して判
断すべきものである。また、図面相互間においても互いの寸法の関係や比率が異なる部分
が含まれていることは勿論である。
（住宅機器制御システムを含むホームネットワークの概略構成）
図１は、本実施形態に係る住宅機器制御システムを含むホームネットワークの概略構成
を示している。同図に示すように、住宅１には、窓３を覆う電動カーテン３０と、玄関ド
ア４に設けられている電子錠３５とが設置されている。本実施形態において、電動カーテ
ン３０及び電子錠３５は、“住宅機器”を構成する。
【００２３】
なお、本実施形態に係る住宅１には、必ずしも居住用の建物に限られず、例えば、業務
用の建物も含まれる。
【００２４】
電動カーテン３０及び電子錠３５は、住宅１内をカバーするホームネットワーク２に接
続されている。本実施形態では、ホームネットワーク２は、IEEE802.3シリーズなどに準
拠した有線ＬＡＮ、またはIEEE802.11シリーズなどに準拠した無線ＬＡＮによって構成さ
れている。なお、ホームネットワーク２は、他の通信方式（例えば、IEEE1394）に準拠し
た通信ネットワークであってもよい。
【００２５】
また、ホームネットワーク２には、本実施形態において“住宅機器制御装置”を構成す
るホームサーバ２０が接続されている。ホームサーバ２０は、ホームネットワーク２を介
して、電動カーテン３０を開閉させたり、電子錠３５を開閉させたりすることができる。
【００２６】
具体的には、ホームサーバ２０は、遠隔操作端末１０によって送信される遠隔操作情報
や肯定応答をホームネットワーク２に接続されている送受信機１１を介して受信する。
【００２７】
なお、遠隔操作情報とは、住宅機器を遠隔操作するための情報であり、肯定応答とは、
ホームサーバ２０から遠隔操作端末１０に送信される確認情報（操作前確認情報）に基づ
いて、ユーザが遠隔操作の実行を肯定した場合、遠隔操作端末１０からホームサーバ２０
に送信される応答である。
【００２８】
さらに、ホームサーバ２０は、受信した遠隔操作情報及び肯定応答に基づいて、電動カ
ーテン３０を開閉させたり、電子錠３５を開閉させたりする。なお、ホームサーバ２０に
よる電動カーテン３０や電子錠３５のさらに具体的な制御方法については、後述する。
【００２９】
また、住宅１には、住宅１内の状況を撮影するカメラ４０Ａ，４０Ｂが設けられている
。カメラ４０Ａは、電動カーテン３０（周辺を含む）を撮影するために用いられ、カメラ
４０Ｂは、玄関ドア４、具体的には電子錠３５（周辺を含む）を撮影するために用いられ
る。カメラ４０Ａ（４０Ｂ）によって撮影された静止画像のデータは、ホームサーバ２０
に送信される。本実施形態では、ホームサーバ２０とカメラ４０Ａ，４０Ｂとによって、
住宅機器制御システムを構成する。
【００３０】
さらに、ホームサーバ２０は、当該静止画像のデータ、及び電動カーテン３０（電子錠
３５）の状態を示す状態情報を含む確認情報（操作前確認情報及び操作後確認情報）を遠
隔操作端末１０に送信する。
【００３１】
また、カメラ４０Ａ（４０Ｂ）の近傍には電動カーテン３０（電子錠３５）周辺の照度
を測定する照度センサ５０Ａ（５０Ｂ）が設けられている。照度センサ５０Ａ（５０Ｂ）
は、ホームサーバ２０による制御に基づいて、電動カーテン３０（電子錠３５）周辺の照
度を測定し、測定した照度のデータをホームサーバ２０に送信する。
【００３２】
当該照度のデータを受信したホームサーバ２０は、電動カーテン３０（電子錠３５）周
辺の照度が所定の値を下回る場合、電動カーテン３０（電子錠３５）の周辺を照らす照明
装置６０Ａ（６０Ｂ）を作動させる。
【００３３】
また、ホームネットワーク２は、広域ネットワーク５と接続されている。本実施形態に
係る広域ネットワーク５には、公衆電話回線網、携帯電話網及びインターネットが含まれ
る。
【００３４】
携帯電話端末１０’は、広域ネットワーク５にアクセスすることができ、広域ネットワ
ーク５及びホームネットワーク２を介して、電動カーテン３０や電子錠３５を遠隔操作す
る遠隔操作情報をホームサーバ２０に送信することができる。すなわち、携帯電話端末１
０’は、遠隔操作端末１０と同様に、電動カーテン３０や電子錠３５を遠隔操作すること
ができる。
（住宅機器制御システム及び住宅機器の論理ブロック構成）
次に、図１に示した住宅機器制御システム及び住宅機器の論理ブロック構成について説
明する。図２は、上述した遠隔操作端末１０、ホームサーバ２０、電動カーテン３０、カ
メラ４０Ａ、照度センサ５０Ａ及び照明装置６０Ａの論理ブロック構成を示している。
【００３５】
なお、図２では、携帯電話端末１０’、電子錠３５、カメラ４０Ｂ、照度センサ５０Ｂ
及び照明装置６０Ｂの表示が省略されている。また、以下、本発明との関連がある部分に
ついて主に説明する。したがって、図２に示した各装置は、当該装置の機能を実現する上
で必須な、図示しない或いは説明を省略した論理ブロック（電源部など）を備える場合が
あることに留意されたい。
（１）遠隔操作端末
上述したように、遠隔操作端末１０は、住宅１に設置されている住宅機器（電動カーテ
ン３０及び電子錠３５）を遠隔操作するために用いられる。遠隔操作端末１０は、送受信
部１０１、操作キー部１０３、表示部１０５及び処理部１０７を有している。
【００３６】
送受信部１０１は、送受信機１１を介して、処理部１０７によって生成された遠隔操作
情報や肯定応答をホームサーバ２０に送信したり、ホームサーバ２０から住宅機器周辺の
静止画像を含む確認情報（操作前確認情報及び操作後確認情報）を受信したりするもので
ある。なお、送受信部１０１と送受信機１１との通信には、準マイクロ波（例えば、２．
４ＧＨｚ帯）またはマイクロ波、或いは赤外線を用いることができる。
【００３７】
操作キー部１０３は、ユーザによって操作される操作キーなどから構成されており、操
作された内容に応じた信号を処理部１０７に送出するものである。
【００３８】
表示部１０５は、ホームサーバ２０によって送信された確認情報を表示するものであり
、小型の液晶表示パネルによって構成されている。
【００３９】
処理部１０７は、操作キー部１０３によって送出された信号に基づいて、住宅機器を遠
隔操作する遠隔操作情報を生成するものである。また、処理部１０７は、ホームサーバ２
０によって送信された“確認情報”を用いて、住宅機器の静止画像や、住宅機器の状態を
示す“状態情報”（例えば、住宅機器の識別名称）を表示部１０５に表示させるものであ
る。
【００４０】
なお、遠隔操作情報、確認情報（操作前確認情報及び操作後確認情報）及び状態情報の
具体的な内容については、後述する。また、図１に示した携帯電話端末１０’は、住宅機
器の遠隔操作に関して、遠隔操作端末１０と同様の機能を有している。
（２）ホームサーバ
ホームサーバ２０は、送受信部２０１、制御部２０３、記憶部２０５及び確認情報生成
部２０７を有している。
【００４１】
送受信部２０１は、ホームネットワーク２と接続されており、各種の情報を送受するも
のである。具体的には、送受信部２０１は、遠隔操作端末１０から、住宅機器を遠隔操作
する遠隔操作情報を受信するものであり、本実施形態では、遠隔操作情報受信部を構成す
る。
【００４２】
また、送受信部２０１は、住宅機器の遠隔操作を肯定する肯定応答を遠隔操作端末１０
から受信するものであり、本実施形態では、肯定応答受信部を構成する。さらに、送受信
部２０１は、住宅機器を制御する制御情報に基づいて実行された当該住宅機器の制御が完
了したことを示す制御完了情報を受信するものであり、本実施形態では、制御完了情報受
信部を構成する。
【００４３】
制御部２０３は、遠隔操作情報及び記憶部２０５に記憶される住宅機器情報テーブルに
基づいて、カメラ４０Ａ（４０Ｂ）に制御の対象となる住宅機器を撮影させ、当該住宅機
器の遠隔操作前に当該住宅機器を撮影した画像である操作前画像を、ホームネットワーク
２を介して取得するものであり、本実施形態では、カメラ制御部を構成する。
【００４４】
また、制御部２０３は、送受信部２０１が受信した肯定応答に基づいて、住宅機器を制
御する制御情報を当該住宅機器に送信するものである。本実施形態では、送受信部２０１
及び制御部２０３によって、制御情報送信部を構成する。
【００４５】
さらに、制御部２０３は、送受信部２０１が制御完了情報を受信した場合、カメラ４０
Ａ（４０Ｂ）に、制御を実行した住宅機器を撮影させ、当該住宅機器の遠隔操作後に当該
住宅機器を撮影した画像である操作後画像を、ホームネットワーク２を介して取得するも
のである。
【００４６】
具体的には、制御部２０３は、カメラ４０Ａ（４０Ｂ）に対して撮影の指示を送信する
。さらに、制御部２０３は、カメラ４０Ａ（４０Ｂ）によって撮影された静止画像のデー
タを取得する。
【００４７】
また、制御部２０３は、照度センサ５０Ａ（センサ部５３）によって測定された住宅機
器（電動カーテン３０）周辺の照度が、所定の値を下回る場合、照明装置６０Ａを作動さ
せるものであり、本実施形態では、照明制御部を構成する。
【００４８】
具体的には、制御部２０３は、照度センサ５０Ａ（センサ部５３）に対して、照度を測
定する指示を送信する。さらに、制御部２０３は、送受信部２０１及びホームネットワー
ク２を介して照明装置６０Ａを点灯（または消灯）させる指示を送信する。
【００４９】
記憶部２０５は、住宅機器（電動カーテン３０及び電子錠３５）と、カメラ４０Ａ，４
０Ｂとが対応付けられた住宅機器情報テーブルを記憶するものである。
【００５０】
具体的には、記憶部２０５は、図９に示すような住宅機器情報テーブルを記憶する。図
９に示すように、本実施形態に係る住宅機器情報テーブルは、住宅機器を識別するための
識別名称、住宅機器の種別、当該住宅機器と対応付けられているカメラ、照度センサ、及
び照明装置とが対応付けられている。
【００５１】
さらに、本実施形態に係る住宅機器情報テーブルには、住宅機器を撮影する際に適用す
るべきカメラの角度とズーム率とが含まれている。また、本実施形態に係る住宅機器情報
テーブルには、遠隔操作情報に基づいて動作する場合における最長の動作時間である最長
動作時間が住宅機器と対応付けられている。
【００５２】
なお、上述した住宅機器情報テーブルでは、１台のカメラ（カメラ４０Ａまたは４０Ｂ
）に複数の住宅機器が対応付けられていてもよい。
【００５３】
確認情報生成部２０７は、制御部２０３によって取得された操作前画像、及び住宅機器
の状態を示す状態情報を含む操作前確認情報を生成し、ホームネットワーク２を介して、
生成した操作前確認情報を遠隔操作端末１０に送信するものである。本実施形態では、送
受信部２０１及び確認情報生成部２０７によって、確認情報送信部を構成する。
【００５４】
さらに、確認情報生成部２０７は、制御部２０３によって取得された操作後画像、及び
住宅機器の状態を示す状態情報を含む操作後確認情報を生成し、ホームネットワーク２を
介して、生成した操作後確認情報を遠隔操作端末１０に送信するものである。
【００５５】
また、確認情報生成部２０７は、状態情報を取得するため、住宅機器に動作状態を問合
せることができる。さらに、確認情報生成部２０７は、送受信部２０１が最長動作時間を
経過しても制御完了情報を住宅機器から受信しない場合、操作後確認情報を遠隔操作端末
１０に送信する。
【００５６】
なお、確認情報生成部２０７は、操作前確認情報（操作後確認情報）を生成する際、制
御部２０３によって取得された操作前画像（操作後画像）のデータ容量を圧縮してもよい
。
（３）住宅機器
本実施形態において住宅機器を構成する電動カーテン３０は、送受信部３１及び制御部
３３を有している。なお、電子錠３５も電動カーテン３０と同様の論理ブロック構成を有
している。
【００５７】
送受信部３１は、ホームネットワーク２と接続されており、ホームサーバ２０によって
送信される制御情報や動作状態の問合せを受信したり、当該制御情報に基づく電動カーテ
ン３０の制御（例えば、閉状態から開状態への制御）が完了したことを示す制御完了情報
を送信したりするものである。
【００５８】
制御部３３は、制御情報に基づいて、電動カーテン３０を開閉させるモータ（不図示）
を作動させるものである。また、制御部３３は、制御情報に基づく制御が完了した場合、
制御完了情報を生成し、生成した制御完了情報を送受信部３１に送出するものである。
（４）カメラ
カメラ４０Ａは、上述したように、電動カーテン３０の周辺を撮影するものであり、送
受信部４１、制御部４３及び撮影部４５を有している。なお、カメラ４０Ｂもカメラ４０
Ａと同様の論理ブロック構成を有している。
【００５９】
送受信部４１は、ホームネットワーク２と接続されており、ホームサーバ２０による撮
影の指示を受信したり、撮影部４５によって撮影された電動カーテン３０周辺の静止画像
（操作前画像及び操作後画像）のデータをホームサーバ２０に送信したりするものである
。
【００６０】
制御部４３は、ホームサーバ２０による撮影の指示に基づいて、撮影部４５に電動カー
テン３０（周辺を含む）を撮影させる。なお、ホームサーバ２０による撮影の指示には、
上述した住宅機器情報テーブルに含まれるカメラの角度やズーム率の情報が含まれている
。
【００６１】
また、制御部４３は、撮影部４５によって撮影された静止画像のデータ容量をホームネ
ットワーク２の帯域などに応じて、適宜圧縮することができる。
【００６２】
撮影部４５は、制御部４３による制御にしたがって、電動カーテン３０周辺を撮影し、
静止画像のデータを制御部４３に送出するものである。
（５）照度センサ及び照明装置
照度センサ５０Ａは、送受信部５１及びセンサ部５３を有している。なお、照度センサ
５０Ｂも照度センサ５０Ａと同様の論理ブロック構成を有している。
【００６３】
送受信部５１は、ホームネットワーク２と接続されており、ホームサーバ２０によって
送信される照度測定の指示を受信したり、センサ部５３によって測定された電動カーテン
３０周辺の照度のデータをホームサーバ２０に送信したりするものである。
【００６４】
センサ部５３は、電動カーテン３０の周辺の照度を測定するものであり、本実施形態で
は照度測定部を構成する。
【００６５】
照明装置６０Ａは、上述したように、電動カーテン３０の周辺を照らす照明装置であり
、受信部６１、制御部６３及び照明部６５を有している。なお、照明装置６０Ｂも照明装
置６０Ａと同様の論理ブロック構成を有している。
【００６６】
受信部６１は、ホームネットワーク２と接続されており、ホームサーバ２０によって送
信される点灯（または消灯）の指示を受信するものである。
【００６７】
制御部６３は、ホームサーバ２０によって送信される点灯（または消灯）の指示に基づ
いて、照明部６５を点灯させたり、消灯させたりするものである。
（住宅機器制御システムを用いた住宅機器の制御方法）
次に、上述した住宅機器制御システムを用いた住宅機器の制御方法の一例について説明
する。
（１）概略フロー
図３は、住宅機器制御システムを用いた住宅機器の制御方法の概略フローを示している
。同図に示すように、住宅機器制御システムを用いた住宅機器の制御方法は、ステップＳ
１０〜Ｓ７０のサブルーチンによって構成されている。
【００６８】
ステップＳ１０では、遠隔操作内容の入力処理が実行される。次いで、ステップＳ２０
では、制御対象の住宅機器（以下、適宜“制御対象機器”という）、具体的には、電動カ
ーテン３０周辺の照度の調整処理が実行される。
【００６９】
ステップＳ３０では、遠隔操作前の制御対象機器の状態をユーザに視認させるため、画
像表示処理が実行され、ステップＳ４０では、制御対象機器の制御を実行するか否かが判
定される。
【００７０】
さらに、ステップＳ５０では、制御対象機器の制御処理が実行され、ステップＳ６０で
は、制御対象機器の制御が完了したか否かを判定する制御完了判定処理が実行される。
【００７１】
ステップＳ７０では、遠隔操作後の制御対象機器の状態をユーザに視認させるため、画
像表示処理が実行される。
【００７２】
以下、各サブルーチンにおける動作について説明する。
（２）遠隔操作内容の入力処理
図４は、遠隔操作内容の入力処理の内容を示している。同図に示すように、ステップＳ
１０−１において、遠隔操作端末１０は、ホームサーバ２０が制御することができる住宅
機器（制御可能機器）を表示する。本実施形態では、制御可能機器として、電動カーテン
３０及び電子錠３５が表示される。
【００７３】
ステップＳ１０−２において、遠隔操作端末１０は、ユーザによって選択された制御対
象機器を検知する。ここでは、制御対象機器として、電動カーテン３０が選択されたもの
とする。
【００７４】
ステップＳ１０−３において、遠隔操作端末１０は、電動カーテン３０を遠隔操作する
遠隔操作情報をホームサーバ２０に送信する。具体的には、遠隔操作端末１０は、図１０
（ａ）に示すような遠隔操作情報をホームサーバ２０に送信する。
【００７５】
すなわち、遠隔操作情報は、識別情報（リビングのカーテン）、機器種別（電動カーテ
ン）、制御内容（開）、及び動作確認（未了）の項目によって構成されている。
【００７６】
ステップＳ１０−４において、ホームサーバ２０は、受信した遠隔操作情報に基づいて
、電動カーテン３０（制御対象機器）の機器情報を取得する。具体的には、ホームサーバ
２０は、図９に示した住宅機器情報テーブルを参照し、電動カーテン３０の機器情報を取
得する。
（３）照度の調整処理
図５は、照度の調整処理の内容を示している。同図に示すように、ステップＳ２０−１
において、ホームサーバ２０は、電動カーテン３０（制御対象機器）周辺の照度センサの
情報を取得する。具体的には、ホームサーバ２０は、図９に示した住宅機器情報テーブル
を参照し、照度センサ５０Ａが電動カーテン３０と対応付けられていることを認識する。
【００７７】
ステップＳ２０−２において、ホームサーバ２０は、照度センサ５０Ａに照度測定の指
示を送信する。
【００７８】
ステップＳ２０−３において、照度センサ５０Ａは、ホームサーバ２０から受信した照
度測定の指示に基づいて、電動カーテン３０周辺の照度を測定し、測定した照度のデータ
をホームサーバ２０に送信する。
【００７９】
ステップＳ２０−４において、ホームサーバ２０は、照度センサ５０Ａによって送信さ
れた照度のデータに基づいて、電動カーテン３０周辺の照度が、所定の値を下回るか否か
を判定する。
【００８０】
ここでは、電動カーテン３０周辺の照度が、所定の値を下回ると判定されたものとする
。なお、電動カーテン３０周辺の照度が、所定の値以上である場合、ホームサーバ２０は
、照度の調整処理を終了し、制御対象機器の画像表示処理（ステップＳ３０）に移行する
。
【００８１】
ステップＳ２０−５において、ホームサーバ２０は、電動カーテン３０（制御対象機器
）周辺の照明装置の情報を取得する。具体的には、ホームサーバ２０は、図９に示した住
宅機器情報テーブルを参照し、照明装置６０Ａが電動カーテン３０と対応付けられている
ことを認識する。
【００８２】
ステップＳ２０−６において、ホームサーバ２０は、照明装置６０Ａに点灯の指示を送
信する。
【００８３】
ステップＳ２０−７において、照明装置６０Ａは、ホームサーバ２０から受信した点灯
の指示に基づいて、照明を点灯させる。
（４）制御対象機器の画像表示処理
図６は、制御対象機器の画像表示処理の内容を示している。同図に示すように、ステッ
プＳ３０−１において、ホームサーバ２０は、電動カーテン３０（制御対象機器）周辺の
カメラの情報を取得する。具体的には、ホームサーバ２０は、図９に示した住宅機器情報
テーブルを参照し、カメラ４０Ａが電動カーテン３０と対応付けられていることを認識す
る。
【００８４】
ステップＳ３０−２において、ホームサーバ２０は、カメラ４０Ａの撮影条件を取得す
る。具体的には、ホームサーバ２０は、住宅機器情報テーブルに含まれているカメラの角
度及びズーム率を取得する。
【００８５】
ステップＳ３０−３において、ホームサーバ２０は、角度やズーム率の情報を含む撮影
の指示をカメラ４０Ａに送信する。
【００８６】
ステップＳ３０−４において、カメラ４０Ａは、受信した撮影の指示に基づいて、電動
カーテン３０（制御対象機器）を含む周辺を撮影する。
【００８７】
ステップＳ３０−５において、カメラ４０Ａは、撮影した静止画像（操作前画像）のデ
ータをホームサーバ２０に送信する。
【００８８】
ステップＳ３０−６において、ホームサーバ２０は、電動カーテン３０に動作状態（閉
状態または開状態）を問合せる。
【００８９】
ステップＳ３０−７において、電動カーテン３０は、動作状態（閉状態）を通知する。
【００９０】
ステップＳ３０−８において、ホームサーバ２０は、電動カーテン３０（制御対象機器
）の操作前確認情報を生成する。具体的には、ホームサーバ２０は、図１１（ａ）に示す
ような操作前確認情報を生成する。
【００９１】
すなわち、操作前確認情報には、操作指示元（遠隔操作端末１０）、識別名称（リビン
グのカーテン）、機器種別（電動カーテン）、制御内容（開）、及び動作確認（未了）の
項目によって構成される状態情報が含まれている。また、操作前確認情報には、電動カー
テン３０の静止画像（操作前画像）のデータが含まれている。
【００９２】
なお、状態情報は、必ずしも上述したすべての項目が含まれていなくてもよく、例えば
、識別名称のみによって構成されてもよい。
【００９３】
ステップＳ３０−９において、ホームサーバ２０は、操作前確認情報を遠隔操作端末１
０に送信する。
【００９４】
ステップＳ３０−１０において、遠隔操作端末１０は、受信した操作前確認情報を表示
する。遠隔操作端末１０に操作前確認情報が表示されることによって、ユーザは、電動カ
ーテン３０の遠隔操作前に、電動カーテン３０（周辺を含む）の状態を確認することがで
きる。
（５）制御処理
図７は、制御対象機器の制御処理の内容を示している。ここで、制御処理が実行される
前に、ステップＳ４０−１において、遠隔操作端末１０は、ユーザが電動カーテン３０（
制御対象機器）の制御を許可したか否かを検知する。つまり、ユーザは、ステップＳ３０
−１０において遠隔操作端末１０に表示された操作前確認情報にしたがって、電動カーテ
ン３０の遠隔操作、具体的には、電動カーテン３０を開けさせる制御を実行させるか否か
を判断することができる。
【００９５】
例えば、ユーザが操作前確認情報に含まれる電動カーテン３０周辺の静止画像を見た結
果、電動カーテン３０の周辺に障害物があることを認識した場合ユーザは、当該制御を中
止させることができる。
【００９６】
ここでは、ユーザが、当該遠隔操作を実行すると判断したものとする。なお、ユーザが
当該遠隔操作を中止すると判断した場合（図３のステップＳ４０のＮＯ）、住宅機器制御
システムによる電動カーテン３０の制御は中止され、すべての処理が終了する。
【００９７】
ステップＳ４０−２において、遠隔操作端末１０は、電動カーテン３０の遠隔操作を肯
定する肯定応答をホームサーバ２０に送信する。なお、肯定応答の構成は、図１０（ａ）
に示した遠隔操作情報と同様である。
【００９８】
ステップＳ５０−１において、ホームサーバ２０は、電動カーテン３０を制御する制御
情報を電動カーテン３０に送信する。
【００９９】
ステップＳ５０−２において、電動カーテン３０は、受信した制御情報に基づいて、電
動カーテン３０を開ける動作を実行する。
【０１００】
ステップＳ５０−３において、電動カーテン３０は、動作状態が閉状態から開状態に変
化することをホームサーバ２０に通知する。さらに、ステップＳ５０−４において、電動
カーテン３０は、電動カーテン３０を開ける動作が完了したことをホームサーバ２０に通
知する。
（６）動作完了判定処理及び制御対象機器の画像表示処理
図８は、動作完了判定処理の内容を示している。同図に示すように、ステップＳ６０−
１において、ホームサーバ２０は、電動カーテン３０（制御対象機器）の動作が完了した
か否かを判定する。具体的には、ホームサーバ２０は、ステップＳ５０−４における電動
カーテン３０からの通知に基づいて、電動カーテン３０の動作が完了したか否かを判定す
る。
【０１０１】
ステップＳ６０−２において、ホームサーバ２０は、電動カーテン３０の最長動作時間
（１０秒）が経過したか否かを判定する。具体的には、ホームサーバ２０は、図９に示し
た住宅機器情報テーブルに含まれる最長動作時間の情報を用いて、電動カーテン３０の最
長動作時間が経過したか否かを判定する。
【０１０２】
なお、ステップＳ６０−１において、既に電動カーテン３０の動作完了が判定されてい
る場合、ステップＳ６０−２の処理は、省略しても構わない。
【０１０３】
次いで、電動カーテン３０（制御対象機器）の画像表示処理が実行される。ステップＳ
７０−１において、ホームサーバ２０は、角度やズーム率の情報を含む撮影の指示をカメ
ラ４０Ａに送信する。
【０１０４】
ステップＳ７０−２において、カメラ４０Ａは、受信した撮影の指示に基づいて、電動
カーテン３０（制御対象機器）を含む周辺を撮影する。
【０１０５】
ステップＳ７０−３において、カメラ４０Ａは、撮影した静止画像（操作前画像）のデ
ータをホームサーバ２０に送信する。なお、ホームサーバ２０は、ステップＳ７０−３の
処理の完了後、照明装置６０Ａに消灯の指示を送信することができる。
【０１０６】
ステップＳ７０−４において、ホームサーバ２０は、電動カーテン３０（制御対象機器
）の操作後確認情報を生成する。具体的には、ホームサーバ２０は、図１１（ａ）に示す
ような操作後確認情報を生成する。
【０１０７】
すなわち、操作後確認情報には、操作指示元（遠隔操作端末１０）、識別名称（リビン
グのカーテン）、機器種別（電動カーテン）、制御内容（開）、及び動作確認（完了）の
項目によって構成される状態情報が含まれている。また、操作後確認情報には、電動カー
テン３０の静止画像（操作後画像）のデータが含まれている。
【０１０８】
ステップＳ７０−５において、ホームサーバ２０は、操作後確認情報を遠隔操作端末１
０に送信する。
【０１０９】
ステップＳ７０−６において、遠隔操作端末１０は、受信した操作後確認情報を表示す
る。遠隔操作端末１０に操作後確認情報が表示されることによって、ユーザは、電動カー
テン３０の遠隔操作後に、電動カーテン３０（周辺を含む）の状態を確認することができ
る。
（作用・効果）
以上説明した本実施形態に係る住宅機器制御システムによれば、住宅機器の遠隔操作前
に、当該住宅機器の状態が撮影された静止画像が遠隔操作端末１０に表示されるため、ユ
ーザは、特に面倒な操作を行うことなく、当該静止画像によって当該住宅機器の状態を容
易に確認することができる。
【０１１０】
また、本実施形態に係る住宅機器制御システムによれば、当該住宅機器の静止画像、ま
たは遠隔操作前や遠隔操作後の一定期間における動画像を送信することができるため、動
画像を送信し続ける場合と比較して、ホームネットワーク２に対する負荷の増大を抑制す
ることができる。
【０１１１】
さらに、本実施形態に係る住宅機器制御システムによれば、ホームサーバ２０が遠隔操
作端末１０から肯定応答を受信した場合にのみ、住宅機器の制御が実行される。このため
、例えば、ユーザが、制御対象の住宅機器の周辺に障害物があることを当該静止画像によ
り認識した場合、ユーザは、当該制御を中止させることができる。
【０１１２】
また、本実施形態に係る住宅機器制御システムによれば、遠隔操作後の静止画像が遠隔
操作端末１０に送信されるため、ユーザは、住宅機器の制御が確実に実行されたことを容
易に確認することができる。
【０１１３】
さらに、本実施形態に係る住宅機器制御システムによれば、制御対象の住宅機器の最長
動作時間が経過すると、制御完了情報を受信したか否かにかかわらず、当該住宅機器の静
止画像が含まれる操作後確認情報が遠隔操作端末１０に送信される。このため、例えば、
住宅機器において不具合が発生し、制御完了情報を送信することができない場合でも、操
作後確認情報を遠隔操作端末１０に送信することができる。
【０１１４】
また、本実施形態に係る住宅機器制御システムによれば、住宅機器（電動カーテン３０
）の周辺の照度が所定の値を下回る場合、照明装置６０Ａを点灯させた上で電動カーテン
３０（周辺を含む）がカメラ４０Ａによって撮影されるため、昼夜にかかわらず、制御対
象の住宅機器（周辺を含む）の鮮明な静止画像を遠隔操作端末１０に表示させることがで
きる。
（その他の実施形態）
上述したように、本発明の一実施形態を通じて本発明の内容を開示したが、この開示の
一部をなす論述及び図面は、本発明を限定するものであると理解すべきではない。この開
示から当業者には様々な代替実施の形態が明らかとなろう。
【０１１５】
例えば、上述した本発明の実施形態では、電動カーテン３０を制御する場合を例として
説明したが、電子錠３５を制御する場合も同様の制御方法が用いられる。なお、この場合
、図１０（ｂ）に示す遠隔操作情報、及び図１１（ｂ）に示す操作前確認情報，操作後確
認情報が用いられる。
【０１１６】
また、上述した本発明の実施形態では、照度センサ５０Ａ，５０Ｂ、及び照明装置６０
Ａ，６０Ｂを用いて制御対象の住宅機器周辺の照度が調整される形態としたが、当該照度
は、調整しなくてもよい。
【０１１７】
さらに、上述した本発明の実施形態では、カメラ４０Ａ，４０Ｂによって撮影された静
止画像が用いられていたが、動画像を用いることもできる。
【０１１８】
また、上述した本発明の実施形態では、遠隔操作前及び遠隔操作後において、確認情報
（操作前確認情報及び操作後確認情報）を遠隔操作端末１０に送信する形態としたが、何
れかの確認情報のみを送信する形態でもよい。
【０１１９】
さらに、上述した本発明の実施形態では、住宅機器情報テーブルに最長動作時間の情報
が含まれており、最長動作時間を経過した場合、操作後確認情報が送信される形態とした
が、住宅機器情報テーブルには、最長動作時間の情報を含まない形態としてもよい。
【０１２０】
このように、本発明は、ここでは記載していない様々な実施の形態などを含むことは勿
論である。したがって、本発明の技術的範囲は、上述の説明から妥当な特許請求の範囲に
係る発明特定事項によってのみ定められるものである。
【図面の簡単な説明】
【０１２１】
【図１】本発明の実施形態に係る住宅機器制御システムを含むホームネットワークの概略構成図である。
【図２】本発明の実施形態に係る住宅機器制御システム及び住宅機器の論理ブロック構成図である。
【図３】本発明の実施形態に係る住宅機器制御システムを用いた住宅機器の制御方法を示す図である。
【図４】本発明の実施形態に係る住宅機器制御システムを用いた住宅機器の制御方法を示す図である。
【図５】本発明の実施形態に係る住宅機器制御システムを用いた住宅機器の制御方法を示す図である。
【図６】本発明の実施形態に係る住宅機器制御システムを用いた住宅機器の制御方法を示す図である。
【図７】本発明の実施形態に係る住宅機器制御システムを用いた住宅機器の制御方法を示す図である。
【図８】本発明の実施形態に係る住宅機器制御システムを用いた住宅機器の制御方法を示す図である。
【図９】本発明の実施形態に係る住宅機器制御システムにおいて用いられる住宅機器情報テーブルの一例を示す図である。
【図１０】本発明の実施形態に係る住宅機器制御システムにおいて用いられる遠隔操作情報（肯定応答）の一例を示す図である。
【図１１】本発明の実施形態に係る住宅機器制御システムにおいて用いられる操作前確認情報及び操作後確認情報の一例を示す図である。
【符号の説明】
【０１２２】
１…住宅、２…ホームネットワーク、３…窓、４…玄関ドア、５…広域ネットワーク、１
０…遠隔操作端末、１０’…携帯電話端末、１１…送受信機、２０…ホームサーバ、３０
…電動カーテン、３１…送受信部、３３…制御部、３５…電子錠、４０Ａ，４０Ｂ…カメ
ラ、４１…送受信部、４３…制御部、４５…撮影部、５０Ａ，５０Ｂ…照度センサ、５１
…送受信部、５３…センサ部、６０Ａ，６０Ｂ…照明装置、６１…受信部、６３…制御部
、６５…照明部、１０１…送受信部、１０３…操作キー部、１０５…表示部、１０７…処
理部、２０１…送受信部、２０３…制御部、２０５…記憶部、２０７…確認情報生成部
【図１】
2006101281.tif 000003
【図２】
2006101281.tif 000004
【図３】
2006101281.tif 000005
【図４】
2006101281.tif 000006
【図５】
2006101281.tif 000007
【図６】
2006101281.tif 000008
【図７】
2006101281.tif 000009
【図８】
2006101281.tif 000010
【図９】
2006101281.tif 000011
【図１０】
2006101281.tif 000012
【図１１】
2006101281.tif 000013